(57)【要約】【課題】  複数の静止画に施す共通の処理の指定を効率良く行なえ、且つ処理対象候補をまとめて選択した後、選択した処理対象候補を見直す場合、容易に見直せる画像再生技術を提供する。【解決手段】  複数の静止画を再生するに当たり、その複数の静止画中のそれぞれに対して処理を施す場合に、前記複数の静止画中の一つに対して編集処理を施すときに指定された処理指定内容を保存しておき、その処理指定内容の編集処理を前記複数の静止画中の他の静止画にも適用させる際、編集処理の実行に先立ち、設定確認指示（Ｓ２）に応じて編集処理を設定した最初の該当静止画を再生（表示）し（Ｓ６）、さらに、「＋」ボタン押下（Ｓ７でＹｅｓ）または「−」ボタン押下（Ｓ９でＹｅｓ）で、編集処理を設定した該当静止画のみを順次再生する（Ｓ８、Ｓ１０）構成にした。【選択図】  図７
2005142861.tif 000002
【特許請求の範囲】
【請求項１】
複数の静止画を再生する画像再生装置において、再生される複数の静止画中のそれぞれに対して処理を施す処理手段と、その処理手段により前記複数の静止画中の一つに対して処理を施す際に指定された編集処理の処理指定内容を保存しておく処理内容保存手段と、保存された前記処理指定内容の編集処理を前記複数の静止画中の他の静止画にも適用させる際、前記編集処理の実行に先立ち、その編集処理を設定した静止画のみを設定確認指示に応じて再生する確認再生手段とを備えたことを特徴とする画像再生装置。
【請求項２】
複数の静止画を再生する画像再生装置において、再生される複数の静止画中のそれぞれに対して処理を施す処理手段と、その処理手段により前記複数の静止画中の一つに対して処理を施す際に指定された編集処理の処理指定内容を保存しておく処理内容保存手段と、保存された前記処理指定内容の編集処理を前記複数の静止画中の他の静止画にも適用させる際、前記編集処理の実行に先立ち、その編集処理を設定しなかった静止画のみを設定確認指示に応じて再生する確認再生手段とを備えたことを特徴とする画像再生装置。
【請求項３】
複数の静止画を再生する画像再生装置を備えたデジタルカメラにおいて、請求項１または請求項２記載の画像再生装置を備えたことを特徴とするデジタルカメラ。
【請求項４】
複数の静止画を再生する画像再生方法において、再生される複数の静止画中のそれぞれに対して処理を施す場合に、前記複数の静止画中の一つに対して処理を施すときに指定された編集処理の処理指定内容を保存しておき、保存された前記処理指定内容の編集処理を前記複数の静止画中の他の静止画にも適用させる際、前記編集処理の実行に先立ち、その編集処理を設定した静止画のみを設定確認指示に応じて再生することを特徴とする画像再生方法。
【請求項５】
複数の静止画を再生する画像再生方法において、再生される複数の静止画中のそれぞれに対して処理を施す場合に、前記複数の静止画中の一つに対して処理を施すときに指定された編集処理の処理指定内容を保存しておき、保存された前記処理指定内容を前記複数の静止画中の他の静止画にも適用させる際、前記編集処理の実行に先立ち、その編集処理を設定しなかった静止画のみを設定確認指示に応じて再生することを特徴とする画像再生方法。
【請求項６】
情報処理装置上で実行されるプログラムにおいて、請求項４または請求項５記載の画像再生方法によった画像再生を実行させるようにプログラミングされていることを特徴とするプログラム。
【請求項７】
プログラムを記憶した記憶媒体において、請求項６記載のプログラムを記憶したことを特徴とする記憶媒体。
【発明の詳細な説明】
【技術分野】
【０００１】
本発明は、複数の静止画を自動またはマニュアル再生する、デジタルカメラなどの画像再生装置に係わり、特に、画像再生に際して静止画の編集処理などを効率的におこなうことができる画像再生技術に関する。
【背景技術】
【０００２】
半導体技術および情報処理技術の進歩により、情報機器や画像を扱う機器の多機能化が進んでいる。例えばデジタルカメラは、単に撮影するだけの機器でなく、一連の撮影画像を編集し、編集した静止画を例えばスライド映像として表示装置へ出力する画像再生装置としても用いることができるようになった。
例えば特許文献１に示された従来技術はそのような従来技術の代表例であり、図２に示したデジタルカメラとほぼ同様の操作ボタンである、「ＳＥＴ」ボタン、「ＭＥＮＵ」ボタン、「ＪＵＭＰ」ボタン、「＋」ボタン、「−」ボタンなどを備えて、撮影した個々の静止画を編集したり、個々の静止画を消去したりすることができ、さらに、編集した一連の静止画を映出させ、スライドショーをおこなうことができる。デジタルカメラの背面に備えた表示装置を用いて画像を確認しながら対象静止画を選択し、選択したそれぞれの静止画に対して指定した処理を施し、処理された複数の静止画を予め指定した順番で自動再生するのである。
【特許文献１】特開平１１−３３１７３９号公報
【発明の開示】
【発明が解決しようとする課題】
【０００３】
しかしながら、特許文献１に示された前記従来技術においては、１つの画像ごとに１つ１つの指定操作をおこなうので、同様の操作を複数の画像に実施する場合には効率が悪い。例えば画像補正など指定操作に時間がかかる編集処理を複数画像に対して繰り返すような場合には非常に効率が悪くなるのである。また、処理対象候補をまとめて選択した後、再度見直して選択候補を吟味しなおしたいというニーズも存在し、従来技術ではこれらの点で使いにくいものとなっている。
本発明の目的は、このような従来技術の問題を解決することにあり、具体的には、複数の静止画に施す共通の処理の指定を１回の操作で自動的におこなえるようにすることにより、操作効率を向上させることができるとともに、処理対象候補をまとめて選択した後、選択した処理対象候補を再度見直す場合、容易に見直すことができる画像再生技術を提供することにある。
【課題を解決するための手段】
【０００４】
上記の課題を解決するために、請求項１記載の発明では、複数の静止画を再生する画像再生装置において、再生される複数の静止画中のそれぞれに対して処理を施す処理手段と、その処理手段により前記複数の静止画中の一つに対して処理を施す際に指定された編集処理の処理指定内容を保存しておく処理内容保存手段と、保存された前記処理指定内容の編集処理を前記複数の静止画中の他の静止画にも適用させる際、前記編集処理の実行に先立ち、その編集処理を設定した静止画のみを設定確認指示に応じて再生する確認再生手段とを備えた。
また、請求項２記載の発明では、複数の静止画を再生する画像再生装置において、再生される複数の静止画中のそれぞれに対して処理を施す処理手段と、その処理手段により前記複数の静止画中の一つに対して処理を施す際に指定された編集処理の処理指定内容を保存しておく処理内容保存手段と、保存された前記処理指定内容の編集処理を前記複数の静止画中の他の静止画にも適用させる際、前記編集処理の実行に先立ち、その編集処理を設定しなかった静止画のみを設定確認指示に応じて再生する確認再生手段とを備えた。
また、請求項３記載の発明では、複数の静止画を再生する画像再生装置を備えたデジタルカメラにおいて、請求項１または請求項２記載の画像再生装置を備えた。
【０００５】
また、請求項４記載の発明では、複数の静止画を再生する画像再生方法において、再生される複数の静止画中のそれぞれに対して処理を施す場合に、前記複数の静止画中の一つに対して処理を施すときに指定された編集処理の処理指定内容を保存しておき、保存された前記処理指定内容の編集処理を前記複数の静止画中の他の静止画にも適用させる際、前記編集処理の実行に先立ち、その編集処理を設定した静止画のみを設定確認指示に応じて再生する構成にした。
また、請求項５記載の発明では、複数の静止画を再生する画像再生方法において、再生される複数の静止画中のそれぞれに対して処理を施す場合に、前記複数の静止画中の一つに対して処理を施すときに指定された編集処理の処理指定内容を保存しておき、保存された前記処理指定内容を前記複数の静止画中の他の静止画にも適用させる際、前記編集処理の実行に先立ち、その編集処理を設定しなかった静止画のみを設定確認指示に応じて再生する構成にした。
また、請求項６記載の発明では、情報処理装置上で実行されるプログラムにおいて、請求項４または請求項５記載の画像再生方法によった画像再生を実行させるようにプログラミングされている構成にした。
また、請求項７記載の発明では、プログラムを記憶した記憶媒体において、請求項６記載のプログラムを記憶した。
【発明の効果】
【０００６】
本発明によれば、請求項１および請求項４記載の発明では、再生される複数の静止画中のそれぞれに対して処理を施す場合に、前記複数の静止画中の一つに対して処理を施すときに指定された編集処理の処理指定内容を保存しておき、保存された前記処理指定内容の編集処理を前記複数の静止画中の他の静止画にも適用させることができるし、その際、前記編集処理の実行に先立ち、その編集処理を設定した静止画のみを設定確認指示に応じて再生できるので、操作効率を向上させることができるし、処理対象候補をまとめて選択した後、選択した処理対象候補を再度見直す場合、容易に見直すことができる。
また、請求項２および請求項５記載の発明では、再生される複数の静止画中のそれぞれに対して処理を施す場合に、前記複数の静止画中の一つに対して処理を施すときに指定された編集処理の処理指定内容を保存しておき、保存された前記処理指定内容を前記複数の静止画中の他の静止画にも適用させることができるし、前記編集処理の実行に先立ち、その編集処理を設定しなかった静止画のみを設定確認指示に応じて再生できるので、同様に、操作効率を向上させることができるし、処理対象候補をまとめて選択した後、選択する処理対象候補を再度見直す場合、容易に見直すことができる。
【０００７】
また、請求項３記載の発明では、デジタルカメラに、請求項１または請求項２記載の画像再生装置を備えたので、デジタルカメラを用いて請求項１または請求項２記載の発明によった画像再生を行なうことができ、したがって、デジタルカメラを用いた画像再生において、操作効率を向上させることができるし、処理対象候補をまとめて選択した後、選択した処理対象候補を再度見直す場合、容易に見直すことができる。
また、請求項６記載の発明では、請求項４または請求項５記載の画像再生方法によった画像再生を実行させるようにプログラミングされているプログラムを情報処理装置上で実行させることができるので、情報処理装置を用いて請求項４または請求項５記載の発明の効果を得ることができる。
また、請求項７記載の発明では、請求項６記載のプログラムを着脱可能な記憶媒体に記憶できるので、その記憶媒体をこれまで請求項４または請求項５記載の発明によった画像再生を行なえなかったパーソナルコンピュータなど情報処理装置に装着することにより、そのような情報処理装置においても請求項４または請求項５記載の発明の効果を得ることができる。
【発明を実施するための最良の形態】
【０００８】
以下、図面を参照して、本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の画像再生装置の一実施形態を示すデジタルカメラ要部の構成ブロック図である。図示したように、このデジタルカメラは、このカメラの全体を制御する制御部１、レンズ２、絞り機能を有するシャッタ３、レンズ２により結像された光学像をアナログ電気信号に変換する撮像素子４、そのアナログ電気信号をデジタルデータに変換するＡＤ変換器５、デジタル化された撮像画像データ（以下、画像データと略す）に各種画像処理を施す画像処理部６、画像処理された画像データを記憶するメモリ７、各種操作ボタンなどを有する操作部８、表示画面用の画像データを記憶する画像表示メモリ９、メモリ制御をおこなってメモリ７に記憶されている画像データを画像表示メモリ９へ取り込むとともに画像表示メモリ９から画像データを取り出しアナログ信号に変換して出力する表示インタフェース部１０、タッチパネル付き表示装置（例えば液晶パネル）１１、プリンタなどに画像データを出力するためのインタフェース部である画像出力部１２、ＬＡＮや公衆網などを介しておこなう相手装置との通信を制御する通信制御部１３、前記表示インタフェース部１０の出力信号が出力される、モニタ装置（図示省略）を接続するためのコネクタ１４、および現在の年月日時分を出力する時計回路１５などを備える。なお、前記制御部１は、プログラムを書き込んでおくＲＯＭ、およびそのプログラムに従って動作するＣＰＵなどを有する。また、メモリ７は画像データを含む各種データを一時的に格納するＲＡＭと、ファイル化されたデータなどを保存しておく不揮発性メモリからなる。
このような構成のデジタルカメラの背面図を図２に示す。図示したように、このデジタルカメラの背面には、前記操作部８、前記タッチパネル付き表示装置１１、および光学ファインダ１６などを備え、操作部８には、「メニュー」ボタン２１、「セット」ボタン２２、「＋」ボタン２４、「−」ボタン２５などを備える。また、側面には前記コネクタ１４を備えている。
このような構成で、このデジタルカメラでは、例えばプレゼンテーションのためのスライド映出をおこなったり、そのための個々の静止画（スライド画像）の選択・編集および静止画の順番設定などをおこなったりすることができるが、その静止画選択・編集および静止画の順番設定はこの操作部８とタッチパネル付き表示装置１１を用いておこなう。なお、スライド映出はコネクタ１４に接続されたモニタ装置を用いておこなうことができる。
操作部８に備えるいくつかのボタンのうち、「メニュー」ボタン２１は、メニューを起動したり、下位層のメニュー表示状態で上位層のメニューに戻したりする際に用いる。また、「セット」ボタン２２は選択されたメニュー項目の確定、各種処理操作の確定・実行などに用いる。また、「＋」ボタン２４は選択する静止画を最新の撮影画像の方向へ移動させたり、選択するメニューを移動させたりするのに用い、「−」ボタン２５は選択する静止画を最古の画像の方向へ移動させたり、選択するメニューを移動させたりするのに用いる。
【０００９】
以下、本発明の一実施例について説明する。なお、この実施例では、請求項１および請求項２記載の処理手段が制御部１および画像処理部６により実現され、処理内容保存手段がメモリ７により実現され、設定確認指示手段が制御部１およびタッチパネル付き表示装置１１により実現される。
このような構成のデジタルカメラを用いて、この実施例では、一つまたは複数の再生順番を設定した再生順ファイルを保存しておき、再生用ファイル作成時に再生順番を指定させる際、前記再生順ファイルに設定されている再生順番を用いて指定させる。また、複数の静止画を対象にして、編集などの処理を施す際に複数の静止画中の一つに対して指定された処理指定内容を保存しておき、その処理指定内容を設定された複数の静止画に適用させる。また、その際、複数の静止画に対して例えば編集処理を設定された静止画（処理対象候補）のみ、または編集処理を設定されなかった静止画のみを設定確認指示に応じて再生して、処理対象候補の見直しを可能にする。
【００１０】
図３に、本発明の一実施例として、ファイル作成、編集、画像消去など各処理を実行させて再生用ファイルを作成する際のメニュー画面を示す。「メニュー」ボタン２１が押されたとき、制御部１がこれを認識し、表示装置１１にこのような画面を表示させるのである。以下、再生用ファイルの作成処理から順に動作を説明する。
まず、図３に示されたメニューが表示された状態で、利用者が「ファイル作成」を指などでタッチすることにより選択して「セット」ボタン２２を押すと、制御部１はそれを認識してファイル名の入力を求めるメッセージと主要な英数字を表示させ、その英数字を順にタッチさせることによりファイル名を入力させる。
こうして、制御部１はファイル名を取得すると、ファイル管理テーブル中のファイルがまだ登録されていないファイル番号をそのファイル名に付与し、ファイル管理テーブル中のそのファイル番号に対応付けてそのファイル名を書き込むとともに、時計回路１５からそのときの年月日時分の値を取得し、その値を登録日時としてファイル番号に対応づけて書き込み、さらに、再生用ファイルであることを示すファイル種別情報を書き込む。また、再生順番を内容として持つファイルを作成した場合には再生順ファイルであることを示すファイル種別情報を書き込む。なお、一つの再生順ファイルには複数の再生順番を登録することができる。
【００１１】
次に、作成された再生用ファイルまたは作成順ファイルに対する編集処理について説明する。なお、編集では、個々の静止画の編集もできるし、再生順番の作成・編集（追加、変更、削除など）もできる。
まず、図３に示されたメニューが表示された状態で、利用者が「編集」を選択して「セット」ボタンを押すと、制御部１はそれを認識して、ファイル管理テーブル中の内容を表示させる。表示されたファイル管理テーブルの各レコードはファイル番号とファイル名と登録年月日とファイル種別から成る。ここで、利用者が再生用ファイルの１つを選択すると、制御部１は「編集」メニューを表示させ、画像ごとの編集をおこなうか、再生順番の編集をおこなうかを選択させる。
そして、利用者が再生順番の編集を指定すると、制御部１は指定されている再生順ファイルを読み出し、その内容を表示させる。表示例を図４に示す。これまで例えば複数の再生順番が登録されていれば図示したように表示され、同じ画面に表示したメッセージにより、利用者の意図する再生順番に近いものがあればそれを選択させる。例えば、このときの撮影前に、それ以前にメモリ７に格納した撮影画像をすべて消去しておき、このときの撮影で２０枚の静止画をメモリ７に格納すると、その２０枚の静止画には撮影順に１から２０までの画像番号が付与されるが、そのうちの画像番号１１を除いた１９枚を撮影順に再生したい場合で、登録されている、それに近い再生順番が１から２０まで順に並んだ再生順番であるならば、それを選択させるのである。
【００１２】
続いて、制御部１は選択された再生順番数字列を開かれている再生用ファイルにコピーし、その再生用ファイルを処理対象として、コピーした再生順番数字列を表示させるとともに、表示された「削除」キーにタッチさせ（図５参照）、再生順番数字列の「１１」にタッチがあったことを認識すると、再生順番「１１」を再生順番数字列から削除する。図５に示したように、「追加」キーやテンキーも表示されており、これらのキーにタッチすることにより、再生順番数字列の所望の位置に所望の画像番号を追加することも可能である。
こうして、再生用ファイルに設定したい再生順番の編集が終了し、利用者が「セット」ボタンを押すと、制御部１はそれを認識し、当該再生用ファイルにその再生順番を設定する。そして、制御部１は変更されたその再生用ファイルを保存するか否かを指示させるメッセージを表示させ、「保存」が指示されたならば、これまで保存されていた当該再生用ファイルの内容を編集後の内容に置換する。
一方、画像ごとの編集を指定し、「＋／−」ボタンを押すと、制御部１は当該再生用ファイルに設定されている静止画の画像番号を前後に移動させ、選択された画像番号の静止画をメモリ７から読み出し、画像表示メモリ９に順次格納することにより順次表示させる。なお、静止画の下には画像番号も表示させる（図３参照）。
こうして、１つの静止画が表示された状態で利用者が「セット」ボタンを押すと、制御部１はその静止画に対する編集指示を受け付ける状態になる。そこで、利用者は、テキスト入力を選択してその静止画に文字を付け加えたり、撮影画像をセピアや白黒にしたり、画像サイズを変更したり、一部を切り抜いたりする編集指示を与える。
【００１３】
なお、この実施例では、このような個々の静止画に対する編集をおこなう際、１つの静止画に対して指定した処理指定内容を当該再生用ファイルに記憶しておき、再生対象のすべてまたは一部の静止画に対してその処理指定内容を適用する。例えば当該再生用ファイルに設定された複数枚の静止画に編集を施して、編集した複数枚の静止画を順に再生するようなとき、例えばどの静止画もセピアにし、画像サイズも同様に変更する場合、従来は個々の静止画を順に表示させ、セピアにする操作と画像サイズを変更する操作をおこなうが、この実施例では、１枚目の静止画に対する編集の指定内容を記憶しておき、その画面で利用者が表示されている「全てに実施」ボタン（図６参照）を押すと、制御部１はそれを認識し、再生順番に指定されている各画像番号の画像データを順次読み出し、記憶しておいた処理指定内容の編集をおこなうのである。なお、前記において、「全てに実施」ボタンを押すことなく、「メニュー」ボタン２１を押すと、指定された編集（処理指定内容の処理）を実施することなく、図３に示した画面へ戻る。
【００１４】
次に、「画像消去」について説明する。
この操作では、まず、利用者が図３に示したメニューで「画像消去」を選択し、「セット」ボタンを押す。そうすると、制御部１がそれを認識し、画像消去メニューを表示し、画像単位で画像消去をおこなうのか、全ての画像を消去するのかを選択させる。そして、画像単位であることが指示されると、消去指示モードに入り、制御部１は対象となる静止画を順次表示させる。「＋／−」ボタン押下に応じて表示画像を前後に移動させるのである。静止画の下には画像番号も表示させる。そして、「セット」ボタン押下を認識したとき、そのとき表示状態にある静止画を消去指示状態にする。なお、この消去指示状態の表示画像で「セット」ボタンを押すと表示画像の消去指示状態は解除される。
こうして、消去する静止画の指示が終わると、利用者は表示されている「実行」ボタンにタッチし、これを認識した制御部１は消去指示状態にある静止画を消去する。
また、前記において、すべての画像を消去する方が選択された場合には、画像番号を付与されている全ての画像を消去する。
【００１５】
次に、画像再生について説明する。
この場合には、「メニュー」ボタンを押して図３に示した画面を表示させ、利用者が「画像再生」を選択すると、制御部１は再生用ファイルが開かれているか否かを判定し、開かれている場合にはその再生用ファイルに設定された静止画をそれに設定された再生順番で表示させる。それに対して、再生用ファイルが開かれていない場合には、登録（保存）されている再生用ファイルを読み出して（開いて）表示させる。なお、再生用ファイルが複数登録されている場合には、そのうち登録日時が最新であるファイルを開き、利用者が「−」ボタンを押したとき、１つ古い登録日時の再生用ファイルを開く。
こうして、利用者が、表示されている「実行」ボタンにタッチすると、制御部１はそれを認識し、当該再生用ファイルに設定された再生順番中の最初の画像番号の画像データをメモリ７から読み出し、コネクタ１４を介して外部のモニタ装置にその静止画を出力する。以下、「＋」ボタン２４の押下を認識すると、制御部１は再生順番中の次の静止画を再生出力し、「−」ボタンが押されると、１つ手前の画像を再生出力する。
【００１６】
また、この実施例では、前記した処理指定内容が記憶（設定）されたままで実施されていなければ、「編集」など設定済み処理項目を指示して、指示した処理項目に該当する静止画のみ、または指示しなかった静止画のみを再生できる。例えば「編集」ボタンにより編集処理を指示した静止画のみを再生するのである。これにより、編集処理を行なう対象がほんとうにその静止画でよいかどうかを確認し、設定を変更することができる。以下、図７に示した動作フローに従って、この実施例の動作フローを説明する。
この実施例では、その設定確認の際、まず、利用者による「メニュー」ボタン押下を認識すると（Ｓ１）、制御部１は図３に示した画面を表示させる。そして、利用者による「確認」ボタンタッチを認識し（Ｓ２）、さらに、確認する設定済み処理項目として「編集」ボタンへのタッチを認識すると（Ｓ３）、制御部１は登録（保存）されている再生用ファイルを開く（読み出す）（Ｓ４）。なお、再生用ファイルが複数登録されている場合には、そのうち登録日時が最新であるファイルを開く。さらに、図８に示したような画面を表示装置１１に表示させる。
この図８に示した画面で利用者による「設定画像」ボタンタッチを認識すると（Ｓ５）、その再生用ファイルに設定されている静止画のうち、編集処理が設定されている静止画中で最も再生順番が先の画像番号の画像データをメモリ７から読み出し、表示装置１１にその静止画を表示させる（Ｓ６）。以下、「＋」ボタン２４の押下を認識すると（Ｓ７）、制御部１は編集処理が設定されている静止画中の次の再生順番の静止画を再生表示させ（Ｓ８）、「−」ボタン２５の押下を認識すると（Ｓ９）、編集処理が設定されている静止画中の１つ手前の画像を再生表示させる（Ｓ１０）。
また、図９に示した動作フローのように、図８に示した画面で利用者が「未設定画像」ボタンにタッチすると（Ｓ１１）、その再生用ファイルに設定されている静止画のうち、編集処理が設定されていない静止画中で最も再生順番が先の画像番号の画像データをメモリ７から読み出し、表示装置１１にその静止画を表示させる（Ｓ１２）。以下、「＋」ボタン２４の押下を認識すると（Ｓ１３）、制御部１は編集処理が設定されていない静止画中の次の再生順番の静止画を再生表示させ（Ｓ１４）、「−」ボタン２５の押下を認識すると（Ｓ１５）、編集処理が設定されていない静止画中の１つ手前の画像を再生表示させる（Ｓ１６）。
そして、この実施例では、前記において、図８に示した画面が表示されているとき（Ｓ６、Ｓ８、Ｓ１０、Ｓ１２、Ｓ１４、Ｓ１６の状態）、利用者は「解除」ボタンにタッチして表示されている静止画を編集処理指示状態から解除したり、「設定」ボタンにタッチして編集処理指示状態にしたりできる。なお、表示されている静止画がプロテクト状態である場合にはその旨を示すガイダンスを表示し、「解除」ボタンおよび「設定」ボタンタッチによる設定状態変更を受け付けない。
こうして、この実施例によれば、複数の静止画に施す共通の処理の指定を１回の操作で自動的におこなえるので、操作効率を向上させることができるし、その処理対象候補をまとめて設定した後、設定した編集処理対象候補などを再度見直す場合、容易に見直すことができる。
【００１７】
以上、本発明の一実施例を図１に示した実施形態の場合で説明したが、説明したような画像再生方法に従ってプログラミングしたプログラムを着脱可能な記憶媒体に記憶し、その記憶媒体をこれまで本発明によった画像再生を行なえなかったパーソナルコンピュータなど情報処理装置に装着することにより、または、そのようなプログラムをネットワークを介してそのような情報処理装置へ転送することにより、そのような情報処理装置においても本発明によった画像再生を行なうことができる。
【図面の簡単な説明】
【００１８】
【図１】本発明の一実施形態を示すデジタルカメラ要部の構成ブロック図である。
【図２】本発明の一実施形態を示すデジタルカメラの背面図である。
【図３】本発明の一実施例を示すデジタルカメラの画面図である。
【図４】本発明の一実施例を示すデジタルカメラの他の画面図である。
【図５】本発明の一実施例を示すデジタルカメラの他の画面図である。
【図６】本発明の一実施例を示すデジタルカメラの他の画面図である。
【図７】本発明の一実施例を示すデジタルカメラの動作フロー図である。
【図８】本発明の一実施例を示すデジタルカメラの他の画面図である。
【図９】本発明の一実施例を示すデジタルカメラの他の動作フロー図である。
【符号の説明】
【００１９】
１  制御部
６  画像処理部
８  操作部
９  画像表示メモリ
１０  表示インタフェース部
１１  表示装置
１４  コネクタ
２１  「メニュー」ボタン
２２  「セット」ボタン
２４  「＋」ボタン
２５  「−」ボタン
【図１】
2005142861.tif 000003
【図２】
2005142861.tif 000004
【図３】
2005142861.tif 000005
【図４】
2005142861.tif 000006
【図５】
2005142861.tif 000007
【図６】
2005142861.tif 000008
【図７】
2005142861.tif 000009
【図８】
2005142861.tif 000010
【図９】
2005142861.tif 000011